(57)【要約】【課題】印刷物が排紙トレイまで排出されない不具合が発生した場合であってもページ順がずれることがないこと。【解決手段】読取部と、給紙装置と、円筒状の版胴に巻装される孔版原紙の搬送方向に製版する製版部と、印刷用紙を円筒状版胴に押圧して製版画像を印刷用紙に転写する通常印刷モードの印刷部と、排紙搬送部とその印刷用紙に印刷する倍速印刷モードを有する孔版印刷装置において１枚の印刷物が排紙トレイまで排出されない不具合が発生した場合、印圧を解除して１枚の白紙の印刷用紙を排出するように制御する。【選択図】図６
2015039826.tif 000002
【特許請求の範囲】
【請求項１】
原稿を読取る読取部と、印刷用紙を１枚ずつ給送する給紙装置と、円筒状の版胴に巻装される１版分の孔版原紙の搬送方向に複数の製版画像を並べて製版することが可能な製版部と、給紙された印刷用紙を前記円筒状版胴に押圧して製版画像を前記印刷用紙に転写する通常印刷モードの印刷部と、前記製版画像が転写された印刷用紙を前記版胴から剥離して搬送する排紙搬送部と、を有し、前記複数の製版画像のそれぞれに対応させて複数の印刷用紙を給紙することで前記版胴１回転に対し複数枚の印刷用紙に印刷する倍速印刷モードを有する孔版印刷装置において、
倍速印刷モードの時に１面目又は２面目いずれか１枚の印刷物が排紙トレイまで排出されない不具合が発生した場合には、印圧を解除して１枚の白紙の印刷用紙を排出するように制御する制御手段を備えたことを特徴とする孔版印刷装置。
【請求項２】
請求項１に記載の孔版印刷装置において、
指定された印刷枚数もしくは部数毎に、印圧を解除することで仕分け用の白紙の印刷用紙を１枚排出するように制御することを特徴とする孔版印刷装置。
【請求項３】
請求項１または２に記載の孔版印刷装置において、
白紙の印刷用紙の排紙時に、排紙速度を遅くして排紙トレイ上の印刷物とずらして積載することを特徴とする孔版印刷装置。
【請求項４】
原稿を読取る読取工程と、印刷用紙を１枚ずつ給送する給紙工程、円筒状の版胴に巻装される１版分の孔版原紙の搬送方向に原稿複数枚分に対応する複数の製版画像を並べて製版する製版工程と、給紙された印刷用紙を回転駆動される前記円筒状版胴に押圧して製版画像を前記印刷用紙に転写する通常印刷モードの印刷工程と、前記製版画像が転写された印刷用紙を前記版胴から剥離して搬送する排紙搬送工程と、を有し、前記複数の製版画像のそれぞれに対応させて複数の印刷用紙を給紙することで前記版胴１回転に対し複数枚の印刷用紙に印刷する倍速印刷モードを有する孔版印刷方法において、
倍速印刷時に１面目又は２面目いずれか１枚の印刷物が排紙トレイまで排出されない不具合が発生した場合には、印圧を解除して１枚の白紙の印刷用紙を排出する排出工程を備えたことを特徴とする孔版印刷方法。
【請求項５】
原稿を読取る読取部と、印刷用紙を１枚ずつ給送する給紙装置と、円筒状の版胴に巻装される１版分の孔版原紙の搬送方向に原稿複数枚分に対応する複数の製版画像を並べて製版することが可能な製版部と、給紙された印刷用紙を回転駆動される前記円筒状版胴に押圧して製版画像を前記印刷用紙に転写する通常印刷モードの印刷部と、前記製版画像が転写された印刷用紙を前記版胴から剥離して搬送する排紙搬送部と、を有し、前記複数の製版画像のそれぞれに対応させて複数の印刷用紙を給紙することで前記版胴１回転に対し複数枚の印刷用紙に印刷する倍速印刷モードを有する孔版印刷装置の実質的なコンピュータに、
倍速印刷時に１面目又は２面目いずれか１枚の印刷物が排紙トレイまで排出されない不具合が発生した場合には、
前記印刷部が、印圧を解除する手順、
前記排紙搬送部が、１枚の白紙の印刷用紙を排出する手順、
を実行させるためのプログラム。
【発明の詳細な説明】
【技術分野】
【０００１】
本発明は、孔版印刷装置、孔版印刷方法、及びプログラムに関する。
【背景技術】
【０００２】
複数の画像を並べて製版し、円筒状の版胴１回転に対し複数枚の印刷用紙に印刷する倍速印刷技術が既に知られている。
通常の給紙間隔の短い倍速印刷では、１面目と２面目とを一度に印刷する等の倍速印刷時に１面目又は２面目のいずれか１枚の印刷物が排紙トレイまで排出されないような不具合が発生することがある。このような場合でも、次の給紙が開始されているため途中で停止することが出来ず、１面目と２面目とで交互に積載されていた印刷物のページ順がずれてしまうという問題があった。
【０００３】
このような問題を解決するため、種々の提案がなされている（例えば、特許文献１参照）。
特許文献１には、仕分けを行う目的で、印刷画像と仕分け用もしくは無製版画像の２面を並べて製版し、仕分け時には仕分け画像もしくは無製版部分でプレスして仕分け用画像を出すことが開示されている。
【発明の概要】
【発明が解決しようとする課題】
【０００４】
しかしながら、上述した特許文献１に記載の発明は、両版の片方は仕分け用もしくは無製版画像にしておかなくてはいけない。このため、倍速印刷が行えず、倍速印刷時に１面目又は２面目いずれか１枚の印刷物が排紙トレイまで排出されない不具合が発生した場合にページ順がずれるのを防ぐという問題は解消できていない。
【０００５】
そこで、本発明の目的は、印刷物が排紙トレイまで排出されない不具合が発生した場合であってもページ順がずれることがないことにある。
【課題を解決するための手段】
【０００６】
上記課題を解決するため、請求項１に記載の発明は、原稿を読み取る読取部と、印刷用紙を１枚ずつ給送する給紙装置と、円筒状の版胴に巻装される１版分の孔版原紙の搬送方向に複数の製版画像を並べて製版することが可能な製版部と、給紙された印刷用紙を前記円筒状版胴に押圧して製版画像を前記印刷用紙に転写する通常印刷モードの印刷部と、前記製版画像が転写された印刷用紙を前記版胴から剥離して搬送する排紙搬送部と、を有し、前記複数の製版画像のそれぞれに対応させて複数の印刷用紙を給紙することで前記版胴１回転に対し複数枚の印刷用紙に印刷する倍速印刷モードを有する孔版印刷装置において、倍速印刷モードの時に１面目又は２面目いずれか１枚の印刷物が排紙トレイまで排出されない不具合が発生した場合には、印圧を解除して１枚の白紙の印刷用紙を排出するように制御する制御手段を備えたことを特徴とする。
【発明の効果】
【０００７】
本発明によれば、印刷物が排紙トレイまで排出されない不具合が発生した場合であってもページ順がずれることがない。
【図面の簡単な説明】
【０００８】
【図１】一実施形態に係る孔版印刷装置の全体構成図である。
【図２】図１に示した孔版印刷装置に用いられるカム機構の説明図である。
【図３】図１に示した孔版印刷装置に用いられる印圧解除手段について説明するための説明図である。
【図４】白紙の印刷用紙の排出速度を落として、ずらして積載する方法について説明するための説明図である。
【図５】図１に示した孔版印刷装置の制御系のブロック図の一例である。
【図６】図１に示した孔版印刷装置の動作を表すフローチャートの一例である。
【図７】図１に示した孔版印刷装置の動作を表すフローチャートの他の一例である。
【図８】倍速印刷用の孔版原紙の一例である。
【発明を実施するための形態】
【０００９】
次に本実施の形態について、図面を参照して説明する。
図１は、一実施形態に係る孔版印刷装置の全体構成図である。図２は、図１に示した孔版印刷装置に用いられるカム機構の説明図である。
孔版印刷装置１は、孔版印刷装置本体1aと、画像読取部1bと、を有する。孔版印刷装置本体1aは、印刷部２、製版部３、給紙部４、排版部５、及び排紙部６を有する。
孔版印刷装置本体1aのほぼ中央に配設された印刷部２は、版胴10と、印圧部材としてのプレスローラ11と、を有する。版胴10は、いずれも図示しない、インキ供給パイプを兼ねた支軸12に回転自在に支持された一対のフランジと、各フランジの外周面に巻装された多孔性支持板と、多孔性支持板の外周面に巻装されたメッシュスクリーンと、を有する。
【００１０】
版胴10は、版胴駆動手段100のモータ101によって回転駆動されると共に孔版印刷装置本体1aに対して着脱可能に構成されている。版胴10の内部にはインキ供給手段13が配設されている。インキ供給手段13は、支軸12、インキローラ14、ドクターローラ15等を有する。インキローラ14は版胴10内に設けられた図示しない側板間に回転自在に支持されており、その周面を版胴10の内周面に近接して配置され、図示しない駆動手段によって版胴10と同方向に回転駆動される。ドクターローラ15も側板間に回転自在に支持されており、その周面をインキローラ14の周面に近接して配置され、図示しない駆動手段によって版胴10とは逆方向に回転駆動される。支軸12には複数の小さな孔が穿設されており、支軸12から供給されたインキがインキローラ14とドクターローラ15との近接部に形成される断面楔形状の空間に溜まることによりインキ溜まり16が形成される。版胴10の外周面上には、版胴10の一母線に沿った平面をなす図示しないステージ部が形成されており、このステージ部の上には版胴10の外周面上にマスタＭの先端を保持させるクランパ10aが配設されている。クランパ10aは、版胴10が所定の位置まで回転されたときに図示しない開閉手段によって開閉される。
【００１１】
版胴10の下方にはプレスローラ11が配設されている。プレスローラ11は金属製の芯部11aにゴム等の弾性体を巻成して構成されており、版胴10の軸方向に延在して設けられている。プレスローラ11は、芯部11aの両端部をプレスローラ支持部材としての一対のアーム部材17によって回転自在に支持されている。ほぼＬ字形状を呈する各アーム部材17は、その曲折部近傍の部位に取り付けられた揺動軸18によってそれぞれ一体化されており、揺動軸18は孔版印刷装置本体1aによって回動自在に支持されている。
【００１２】
各アーム部材17のプレスローラ11が支持された一端側と対向する他端側には、それぞれ回転自在なカムフォロア19が互いに外側を向く態様で配設されている。また、各アーム部材17のカムフォロア19が配設された位置の近傍には、一端を孔版印刷装置本体１に固着された印圧ばね20の他端がそれぞれ取り付けられている。各アーム部材17は、揺動軸18を中心に図において時計回り方向への回動付勢力をそれぞれ付与されている。
【００１３】
各カムフォロア19の左方近傍には、カム板21がそれぞれ配設されている。各カム板21は、両端を孔版印刷装置本体1aに回転自在に支持されたカム軸22に固着されて配設されている。カム板21は、カム軸22と同軸の円板である基部と凸部とを有している。カム板21は、カム軸22に取り付けられたカム駆動プーリ23と、孔版印刷装置本体1aに回転自在に支持された版胴駆動プーリ104と、メインモータプーリ102に掛けられたメインベルト103と、を有する。カム板21は版胴駆動手段100のメインモータ101からの回転力が伝達され、図１において反時計回り方向に回転駆動される。
【００１４】
プレスローラ11は、カム板21の凸部がカムフォロア19と当接したときにその周面が版胴10の周面より離隔する位置を占める。プレスローラ11は、凸部とカムフォロア19との当接が解除されたときに印圧ばね20の付勢力によってその周面が版胴10の周面に圧接する位置を占める。
カムフォロア19、印圧ばね20、カム板21、プレスローラ係止手段24よってプレスローラ圧接機構29が構成され、このプレスローラ圧接機構29の作動によってプレスローラ11は離隔位置と圧接位置とを選択的に占める。
孔版印刷装置本体1aの右上部には製版部３が配設されている。製版部３は、マスタ保持部材30、プラテンローラ31、サーマルヘッド32、切断手段33、マスタストック部34、テンションローラ対35、反転ローラ対36等を有する。製版部３は後述するマスタ7に製版を行う。
【００１５】
マスタ保持部材30は、孔版印刷装置本体1aの図示しない側板対にそれぞれ設けられ、熱可塑性樹脂フィルムと多孔性支持体とを貼り合わせたマスタ37をロール状に巻成したマスタロール37aの芯部37bの両端を回転着脱自在に支持する。マスタ保持部材30の左方に設けられたプラテンローラ31は孔版印刷装置本体1aの図示しない側板に回転自在に支持されており、ステッピングモータを含む製版駆動手段105（図５参照）によって回転駆動される。プラテンローラ31の下方に位置し多数の発熱素子を有するサーマルヘッド32は孔版印刷装置本体1aの図示しない側板に取り付けられ、図示しない付勢手段によってその発熱素子面をプラテンローラ31に圧接されている。
【００１６】
サーマルヘッド32はマスタ37の熱可塑性樹脂フィルム面に接触しつつ発熱素子を選択的に発熱させ、マスタ37に対して熱溶融穿孔製版を行う。
プラテンローラ31及びサーマルヘッド32の左方には切断手段33が配設されている。孔版印刷装置本体１の図示しないフレームに固設された固定刃33aと、この固定刃33aに移動自在に支持された可動刃33bとを有する切断手段33は、固定刃33aに対して可動刃33bが回転移動することによりマスタ37を切断する周知の構成である。
【００１７】
切断手段33のマスタ搬送方向下流側下方にはマスタストック部34が配設されている。製版済みマスタ37を一時的に貯容する空間であるマスタストック部34は複数の板部材によってその内部を仕切られており、その最奥部には図示しない吸引ファンが配設されている。この吸引ファンが作動することにより密閉された空間であるマスタストック部34の内部に負圧が発生し、搬送されてきた製版済みマスタ37はマスタストック部34の最奥部に向けて貯容される。
【００１８】
切断手段33とマスタストック部34との間の部位にはテンションローラ対35が配設されている。孔版印刷装置本体1aの図示しない側板に回転自在に支持された駆動ローラ35aと従動ローラ35bとからなるテンションローラ対35は、従動ローラ35bが図示しない付勢手段によってその周面を駆動ローラ35aの周面に圧接されている。製版駆動手段104によって駆動ローラ35aが回転駆動されることによりマスタ37を挟持して搬送する。駆動ローラ35aは、その周速度がプラテンローラ31の周速度よりも若干速く設定されている。駆動ローラ35aの内部には図示しないトルクリミッターが設けられており、プラテンローラ31とテンションローラ対35との間にマスタ37に対して所定の張力が付与されるように構成されている。
【００１９】
マスタストック部34のマスタ搬送方向下流側には、それぞれ孔版印刷装置本体1aの図示しない側板に回転自在に支持された駆動ローラ36aと従動ローラ36bとからなる反転ローラ対36が配設されている。反転ローラ対36は、製版駆動手段104によって回転駆動される駆動ローラ36aと図示しない付勢手段によってこれに圧接配置された従動ローラ36bとによってマスタ37を挟持して搬送する。駆動ローラ36aの内部には図示しないワンウェイクラッチが設けられている。
【００２０】
また、テンションローラ対35と反転ローラ対36との間の部位には、図示しない可動マスタガイド板が配設されている。この可動マスタガイド板は図示しない支持部材に揺動自在に支持されており、図示しないソレノイドによってその上面がマスタ37の搬送路を構成する搬送位置と、マスタ37のマスタストック部34への進入を妨げない退避位置とに選択的に位置決めされる。
製版部３の下方には給紙部４が配設されている。給紙部４は、給紙トレイ40、給紙ローラ41、分離ローラ42、分離パッド43、レジストローラ対44等を有する。上面に多数の印刷用紙Ｐを積載可能な給紙トレイ40は、孔版印刷装置本体1aに上下動自在に支持され、昇降手段を含む給紙駆動手段106（図５参照）によって上下動される。A3サイズの印刷用紙Ｐを縦置き可能な給紙トレイ40の上面には、図示しないレール部材によって用紙搬送方向と直行する用紙幅方向に移動自在に支持された一対のサイドフェンス45が設けられている。
【００２１】
給紙トレイ40の上方には、表面に高摩擦抵抗部材を有する給紙ローラ41が配設されている。給紙ローラ41は孔版印刷装置本体1aに揺動自在に支持された図示しないブラケットに回転自在に支持されており、給紙トレイ40が図示しない昇降手段によって上昇されたときに所定の圧接力で給紙トレイ40上の最上位の印刷用紙Ｐに圧接する。給紙ローラ41は給紙駆動手段106によって回転駆動される。給紙ローラ41の左方には、表面にそれぞれ高摩擦抵抗部材を有する分離ローラ42と分離パッド43とが配設されている。
分離ローラ42はタイミングベルト42aを介して給紙ローラ41に駆動連結されており、給紙ローラ41の回転駆動時にこれと同期して同方向に回転駆動される。分離パッド43は図示しない付勢手段によって分離ローラ42に圧接されている。
分離ローラ42及び分離パッド43の左方にはレジストローラ対44が配設されている。駆動ローラ44aと従動ローラ44bとからなるレジストローラ対44は、レジストローラ駆動手段107の図示しないレジストローラ駆動モータの回転駆動力をプーリやタイミングベルト等の図示しない駆動力伝達手段によって伝達する。これにより駆動ローラ44aが版胴10と同期した所定のタイミングで回転し、駆動ローラ44aに圧接された従動ローラ44bとによって印刷用紙Ｐを印刷部２に向けて所定のタイミングで給送する。レジストローラ駆動モータは、ステッピングモータ、DCブラシレスモータなどで回転を制御することができる。
【００２２】
印刷部２の左上方には排版部５が配設されている。排版部５は、上排版部材50、下排版部材51、排版ボックス52、圧縮板53等を有している。上排版部材50は、駆動ローラ54、従動ローラ55、無端ベルト56等を有し、排版駆動手段108（図５参照）によって駆動ローラ54が図の時計回り方向に回転駆動されることにより無端ベルト56が図１の矢印方向に移動する。下排版部材51は、駆動ローラ57、従動ローラ58、無端ベルト59等を有し、駆動ローラ54を回転駆動する排版駆動手段108の駆動力をギヤやベルト等の図示しない駆動力伝達手段によって伝達される。この伝達により駆動ローラ57が図の反時計回り方向に回転駆動され、無端ベルト59が図１の矢印方向に移動する。また、下排版部材51は、排版駆動手段108に含まれる図示しない移動手段によって移動自在に設けられており、図に示す位置と従動ローラ58の外周面上に位置する無端ベルト59が版胴10の外周面に当接する位置とを選択的に占める。内部に使用済みマスタを貯容する排版ボックス52は、孔版印刷装置本体1aに対して着脱自在に設けられている。上排版部材50と下排版部材51とによって運ばれた使用済みマスタを排版ボックス52の内部に押し込む圧縮板53は孔版印刷装置本体1aに上下動自在に支持されており、排版駆動手段108に含まれる図示しない昇降手段によって上下動される。
排版部５の下方には排紙部６が配設されている。排紙部６は、剥離爪60、排紙搬送手段61、排紙トレイ62を有している。このうち、剥離爪60は版胴10の幅方向に複数配置され、孔版印刷装置本体1aに揺動自在に支持された支軸にそれぞれ一体的に取り付けられている。複数の剥離爪60は図示しない爪揺動手段によって揺動され、その先端が版胴10の周面に近接する図に示す位置と、クランパ10a等の障害物を回避するためにその先端が版胴10の外周面から離隔する位置とを選択的に占める。
【００２３】
図示しない爪揺動手段は、版胴駆動手段100からの駆動力を図示しない駆動力伝達手段により伝達され、版胴10の回転と同期して剥離爪60を揺動させる。
剥離爪60の下方であってプレスローラ11の左方に配設された用紙搬送手段61は、駆動ローラ63、従動ローラ64、無端ベルト65、吸引ファン66等を有する。
コロ状の駆動ローラ63は、図示しない箱状のユニット側板に回転自在に支持された図示しない支軸に所定の間隔で複数取り付けられており、排紙駆動手段109（図５参照）によってそれぞれ一体的に回転駆動されるように構成されている。
従動ローラ64は、図示しない箱状のユニット側板に回転自在に支持された図示しない支軸に各駆動ローラ63と等間隔で複数設けられ、各駆動ローラ63及びこれと対応する各従動ローラ64には複数の孔を有する無端ベルト65が掛け渡されている。
駆動ローラ63、従動ローラ64、無端ベルト65の下方には吸引ファン66が配設されている。無端ベルト65の孔から吸引ファン66によって吸引搬送を行うことが可能である。
排紙搬送部材61によって搬送された印刷用紙Ｐをその上面に積載する排紙トレイ62は、用紙搬送方向に移動自在な１個のエンドフェンス67と、用紙幅方向に移動自在な一対のサイドフェンス68とを有する。
孔版印刷装置本体1aの上部には画像読取部７が配設されている。画像読取部７は、コンタクトガラス70、圧板71、自動原稿搬送装置(ADF)72、反射ミラー73，74，75，76及び蛍光灯77、レンズ78、画像センサ79、原稿サイズ検知センサ80、画像メモリ81等を有する。
原稿画像の読取動作は読取駆動手段110（図５参照）によって行われる。
【００２４】
コンタクトガラス70は、原稿を載置するためのガラスである。圧板71は、コンタクトガラス70に対して接離自在に設けられたものであり、コンタクトガラス71上の原稿を押さえるための部材である。自動原稿搬送装置(ADF)72は、複数枚の原稿を、自動的に順次読み取り位置上を通過させる装置である。
反射ミラー73，74，75，76は、光源としての蛍光灯77からの光を原稿に照射することにより走査して得られる反射光を画像センサ79に受光させるためのミラーである。レンズ78は、走査された原稿画像を集束する機能を有する。画像センサ79は、集束された画像を処理するCCD等の素子である。複数の原稿サイズ検知センサ80は、原稿のサイズを検知する機能を有する素子である。画像メモリ81は、読み取られた画像データを記憶する機能を有する素子である。
【００２５】
図１に示すように、版胴10を構成する図示しないフランジの外面にはドグ90が取り付けられており、版胴10の周囲近傍には孔版印刷装置本体1aに取り付けられたホームポジションセンサ91が配設されている。ホームポジションセンサ91は、クランパ10aがプレスローラ11と対向する位置を版胴10が占めたときにドグ90を検知して後述する制御手段120に向けて信号を出力する。
【００２６】
図３は、図１に示した孔版印刷装置に用いられる印圧解除手段について説明するための説明図である。
プレスローラ圧接機構29は、Ｌ字型のアーム291と、アーム291の下部に接触するカム298と、を有する。アーム291は、版胴10の下側に配置された回動軸292の回りに揺動自在に配置されている。アーム291の上部の先端には回転軸293の回りに回転自在なローラ294が配置され、アーム291の上部が上側に位置したときに版胴10と接触できるようになっている。アーム291の下部の中央にはローラ296の回転軸295が配置され、カム298と接触できるようになっている。アーム291の上部の下側には回転軸297を中心として矢印方向に回転可能なカム298が配置されている。アーム291の下部には切り欠き291aが形成されている。アーム291の下部はばね28によりカム298を押しつける方向に付勢されている。すなわち、アーム292は、中心軸297の回りに回転可能なカム298の回転に伴い、揺動軸292を中心に上部が図の上側に揺動し、下部が図の左側に揺動することができる。
図ではカム298の凸部がアーム291を、ローラ296を介して押圧しているので、ローラ294が版胴10から離れているが、カム298が回転するとアーム291はばね28により付勢されている。これにより、ローラ294は版胴10を圧接し、版胴10に印圧が加わる。
【００２７】
プレスローラ係止手段24は、係止部材27と、ソレノイド25と、を有する。
係止部材27は、先端の上側にアーム291の下部の切り欠き291aに噛み合う係止爪27aが形成された長方形の部材であり、長手方向に複数の長孔27bが形成されている。軸26が長孔27bを貫通するように配置されているので、係止部材27は水平方向に所定距離だけ移動が可能である。係止部材27の基部は、ソレノイド25のプランジャ25aに連結している。ソレノイド25が作動するとプランジャ25aがソレノイド25内に収納され、係止爪27aがアーム291の下部の切り欠き291aを引くので、アーム291が図の反時計方向に回動し、版胴10にローラ294が接触していた場合には外れて印圧が解除される。
【００２８】
すなわち、印圧解除手段は、ソレノイド25、軸26、係止部材27、ばね28にて構成される。倍速印刷時に１面目又は２面目のいずれか１枚の印刷物が排紙トレイ62まで排出されない不具合の発生が確認されたら、ソレノイド25にて係止部材27を引く。係止部材27に設けられた係止爪27aがプレスローラ圧接機構29の一端を引くことで強制的に印圧の解除を行う。印圧の解除が行われると、レジストローラ対44にて排紙部６にまで搬送して吸引ファン66に印刷用紙を引き渡して白紙の印刷用紙Ｐを排出する。
また、操作パネル124にて仕分けの枚数もしくは部数が設定された場合には、指定された枚数もしくは部数毎に印圧を解除して白紙の印刷用紙Ｐを搬送して仕分けの目印にする。印圧を解除して白紙の印刷用紙Ｐを搬送するため、孔版原紙に仕分け用の目印や無製版部分を作らなくてよいため、倍速印刷での仕分けが可能となり、また孔版原紙の節約にもつながる。
【００２９】
ここで、印圧を解除して白紙のまま搬送を行うことで、積載順番が変わることを防止できることについて述べる。
図８に示す孔版原紙を用いて画像１＋画像２の倍速印刷を行う時に印刷不良が発生した場合、次の給紙は既に始まっているので、途中で印刷を停止することができない。そのため、同じページが連続する箇所が発生してしまう。例えば、画像１，画像２，画像１，画像２，画像１，画像２，画像２，画像１，画像２，画像１，画像２，…のように下線部でページ１の印刷不良が発生する。
また、倍速印刷は、版胴１回転中に複数枚、例えば２枚給紙することで、版胴１回転で複数の印刷物を得る印刷方式である。しかし、版胴１回転のうちに２枚の給紙を行うため、給紙間隔は狭い。
なお、図８は、倍速印刷用の孔版原紙の一例である。
【００３０】
「枚数もしくは部数」としたのは、単純に同一画像を印刷するだけであれば、「枚数」だけでよい。しかし、「画像１＋画像２」を印刷する場合、画像１，画像２，画像１，画像２、画像１，画像２，…と印刷用紙が積層され、画像１＋画像２がセットで１部となり、意味合いが異なるためである。画像１＋画像２の場合は印刷枚数＝部数×２となるので、区別した。
【００３１】
図４は、白紙の印刷用紙の排出速度を落として、ずらして積載する方法について説明するための説明図である。
印刷物が排紙トレイ62まで排出されない不具合が発生した場合もしくは仕分け設定を行って白紙の印刷用紙を排出した場合、印刷がその後も続くと白紙の印刷用紙の上に印刷物が重なって搬送されてしまう。このため、どの位置に白紙の印刷用紙があるのか確認するのが困難である。
そこで、白紙の印刷用紙P2の排出時には、排出途中で排紙駆動手段109を停止させ駆動ローラ63の速度を落とすことで白紙の印刷用紙P2の排出速度を落とし、白紙の印刷用紙P2だけずれて重なるようにした。これにより、白紙の印刷用紙P2の位置確認が容易になる。
【００３２】
すなわち、通常通り印刷した印刷用紙P1は、エンドフェンス67に突き当たった状態で積層される。これに対し、白紙の印刷用紙P2は排紙速度を落としたことでエンドフェンス67まで到達せずに例えば１枚だけずれた状態で積載される。これにより白紙の印刷用紙P2の発見が容易になる。
【００３３】
尚、図４では排紙トレイ62が傾斜しているが、本発明はこれに限定されるものではなく、排紙トレイ62が水平であってもよい。孔版印刷装置では、排紙時には印刷用紙P1をある程度の速度で飛び出させ、エンドフェンス67に印刷用紙P1の端部が当たり、その後印刷用紙P1が排紙トレイ62の上に落下することで積載される。
【００３４】
図５は、図１に示した孔版印刷装置の制御系のブロック図の一例である。
制御手段120は、内部にCPU(central processing unit)121、ROM(read-only memory)122、RAM(random-access memory)123を有する周知のコンピュータであり、孔版印刷装置本体1a内部に設けられている。
CPU121は、操作パネル124からの各種信号及び各種センサからの検知信号及びROM122からの動作プログラムに基づいて、印刷部２、製版部３、給紙部４、排版部５、画像読取部７の各駆動手段を制御し、孔版印刷装置全体の動作を制御する。
ROM122には孔版印刷装置全体の動作プログラムが記憶されており、この動作プログラムはCPU121によって適宜呼び出される。RAM123は、CPU121の計算結果を一時的に記憶する機能、操作パネル124上の各種キー及び各種センサから設定及び入力されたデータ信号及びオン・オフ信号を随時記憶する機能等を有する。
制御手段120は、ホームポジションセンサ91からのホームポジション信号と、版胴駆動手段100に設けられた図示しないエンコーダーからの信号とに基づいて、版胴10の位置の把握も行う。
【００３５】
排版部５は、排版駆動手段108を有し、排紙部６は、排紙駆動手段109及び排紙検知センサ111を有する。
【００３６】
図６は、図１に示した孔版印刷装置の動作を表すフローチャートの一例である。
動作の主体は、CPU121である。
印刷開始ボタンが押されたら、CPU121は印刷方式の確認を行う。CPU121は倍速印刷かそれ以外かの判断を行い(S11)、倍速印刷以外の場合(S11/No)は通常印刷モードへ移行する(S18）。
倍速印刷の場合(S11/Yes)は、CPU121は印刷枚数ｎの確認を行い(S12)、倍速印刷モードへ移行する(S13)。CPU121は印刷中に排出ミスがないか否かの確認を行い(S14)、排出ミスがあれば白紙の印刷用紙を１枚だけ排出する(S17)。CPU121は印刷用紙が正常に排出されれば、設定された印刷枚数ｎから１を引き、その値をｘとする(S15)。CPU121はｘが０かそれ以外かの判断を行い(S16)、０であれば(S16/Yes)、設定された印刷枚数分印刷したことになるので印刷を終了する。CPU121は判断の結果ｘが０でなければ(S16/No)、設定された枚数分の印刷が終わっていないので、印刷を続ける。
【００３７】
図７は、図１に示した孔版印刷装置の動作を表すフローチャートの他の一例である。
動作の主体はCPU121である。
印刷開始ボタンが押されたら、CPU121は印刷枚数ｎの確認を行う(S21)。CPU121は設定された仕分け単位ｍの確認を行う(S22)。CPU121は倍速印刷を開始し(S23)、印刷するごとに設定された印刷枚数ｎから１を引き、その値をｘとする(S24)。CPU121はｘが０かそれ以外かの判断を行い(S25)、ｘが０であれば(S25/Yes)、設定された印刷枚数分印刷したことになるので印刷を終了する。CPU121はｘが０でなければ(S25/No)、設定された枚数分の印刷が終わっていないので、印刷を続ける。CPU121は設定された仕分け単位ｍから１を引き、その値をｙとする(S26)。CPU121はｙが０かそれ以外かの判断を行い(S27)、CPU121はｙが０であれば(S27/Yes)、仕分けのタイミングなので仕分け用の白紙を１枚だけ排出し(S28)、S22に戻って印刷を続ける。CPU121はｙが０でなければ(S27/No)、仕分けのタイミングではないので、白紙の印刷用紙の排出を行わず印刷を続けるためS23に戻る。
【００３８】
＜作用効果＞
以上、本実施形態によれば、不具合発生直後の用紙に対しては印圧を解除して白紙のまま搬送を行うことで、積載順番が変わることを防ぐことができる。これにより、印刷物が排紙トレイまで排出されない不具合が発生した場合にページ順がずれるのを防ぐことができる。
【００３９】
＜プログラム＞
以上で説明した本発明に係る孔版印刷装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行う。
【００４０】
例えば、
原稿を読み取る読取部と、印刷用紙を１枚ずつ給送する給紙装置と、円筒状の版胴に巻装される１版分の孔版原紙の搬送方向に原稿複数枚分に対応する複数の製版画像を並べて製版することが可能な製版部と、給紙された印刷用紙を回転駆動される前記円筒状版胴に押圧して製版画像を印刷用紙に転写する通常印刷モードの印刷部と、製版画像が転写された印刷用紙を前記版胴から剥離して搬送する排紙搬送部と、を有し、複数の製版画像のそれぞれに対応させて複数の印刷用紙を給紙することで版胴１回転に対し複数枚の印刷用紙に印刷する倍速印刷モードを有する孔版印刷装置の実質的なコンピュータに、
倍速印刷時に１面目又は２面目いずれか１枚の印刷物が排紙トレイまで排出されない不具合が発生した場合には、
前記印刷部が、印圧を解除する手順、
前記排紙搬送部が、１枚の白紙の印刷用紙を排出する手順、
を実行させるためのプログラムが挙げられる。
【００４１】
これにより、プログラムが実行可能なコンピュータ環境及び孔版印刷環境さえあれば、どこにおいても本発明にかかる孔版印刷装置を実現することができる。
このようなプログラムは、コンピュータに読み取り可能な記憶媒体に記憶されていてもよい。
【００４２】
＜記憶媒体＞
ここで、記憶媒体としては、例えばCD−ROM、フレキシブルディスク(FD)、CD−R等のコンピュータで読み取り可能な記憶媒体、フラッシュメモリ、RAM、ROM、FeRAM等の半導体メモリやHDDが挙げられる。
【００４３】
CD−ROMは、Compact Disc Read Only Memoryの略である。フレキシブルディスクは、Flexible Disk：FDを意味する。CD−Rは、CD Recordableの略である。FeRAMは、Ferroelectric RAMの略で、強誘電体メモリを意味する。HDDは、Hard Disc Driveの略である。
【００４４】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００４５】
１    孔版印刷装置
１a    孔版印刷装置本体
２    印刷部
３    製版部
４    給紙部
５    排版部
６    排紙部
１０    版胴
１１    プレスローラ
１２    支軸
１３    インキ供給手段
１４    インキローラ
１５    ドクターローラ
１６    インキ溜まり
１７    アーム部材
１８    揺動軸
１９    カムフォロア
２０    印圧ばね
２１    カム板
２２    カム軸
２３    カム駆動プーリ
２４    プレスローラ係止手段
２５    ソレノイド
２６    軸
２７    係止部材
２８    ばね
２９    プレスローラ圧接機構
３０    マスタ保持手段
３１    プラテンローラ
３２    サーマルヘッド
３３    切断手段
３４    マスタストック部
３５    テンションローラ対
３６    反転ローラ対
３７    マスタ
４０、６２    排紙トレイ
４１    給紙ローラ
４２    分離ローラ
４３    分離パッド
４４    レジストローラ対
４５、６７    サイドフェンス
５０    上排版部材
５１    下排版部材
５２    排版ボックス
５３    圧縮板
５４、５７、６３    駆動ローラ
５５、５８、６４    従動ローラ
５６、５９    無端ベルト
６０    剥離爪
６６    吸引ファン
７０    コンタクトガラス
７１    圧板
７２    自動原稿搬送装置（ＡＤＦ）
７３、７４、７５、７６    反射ミラー
７７    蛍光灯
７８    レンズ
７９    画像センサ
８０    原稿サイズ検知センサ
８１    画像メモリ
９０    ドグ
９１    ホームポジションセンサ
１００    版胴駆動手段
１０８    排版駆動手段
１０９    排紙駆動手段
１１１    排紙検知センサ
１２０    制御手段
１２１    ＣＰＵ
１２２    ＲＯＭ
１２３    ＲＡＭ
１２４    操作パネル
２９１    アーム
２９４    ローラ
２９５    回転軸
２９６    ローラ
２９８    カム
【先行技術文献】
【特許文献】
【００４６】
【特許文献１】特開２００９−２９１９５６号公報
【図１】
2015039826.tif 000003
【図２】
2015039826.tif 000004
【図３】
2015039826.tif 000005
【図４】
2015039826.tif 000006
【図５】
2015039826.tif 000007
【図６】
2015039826.tif 000008
【図７】
2015039826.tif 000009
【図８】
2015039826.tif 000010